(57)【要約】      （修正有）【課題】自動車等の運転に関し、あらかじめ登録された人以外の者がエンジンを始動させると警報が作動する運転管理システム。【解決手段】運転免許証記載条項や任意に定めた運転管理上の情報（たとえば名前等）を運転管理情報とし、これらの情報をコンピューターとチップ等の記憶装置に記憶させた管理カードを作成し入力記憶させておく。運手開始時のエンジン始動スイッチ入力と同時にコンピューター上の情報と管理カード上の情報を照合し、情報が一致しない場合は、例えばクラクション等の警報装置が鳴り、運的不可能な状態に自動車を置くことで、無免許運転などの法令違反運転や盗難、事件事故を防止することが出来る。【選択図】図２
2015020473.tif 000002
【特許請求の範囲】
【請求項１】
１  運転管理情報として、
イ  免許証記載事項のすべてもしくは一部、または、
ロ  任意の運転管理上の必要事項、  または、
ハ  上記イとロのすべてもしくは一部を組み合わせた事項、
をあらかじめコンピューターとＩＣチップなどの記憶保持装置に記憶保存させ、
２  被運転物にあらかじめ備え付けられた、前照灯やクラクションあるいはハザードランプその他の当
初備付警報装置を備付警報装置とする前記備付警報装置の全部もしくは一部は、または前記被運転
物に適宜な警報装置を追加して装着した場合は、前記追加警報装置のすべてもしくは一部は、さら
に前記備付警報装置と前記追加警報装置とを組み合わせて警報装置群とする前記警報装置群のすべ
てもしくは一部は、前記当初備付警報装置の電源回路とは独立し前記コンピューターや前記記憶保
持装置と直結した電源回路を経由して作動するように設け、
３  被運転物のエンジンの始動電源スイッチの入力（スイッチＯＮ）時に、
４  前記ＩＣチップなどの記憶保持装置で構成された管理カードの情報がカードリーダー等の情報読み取り装置を経由して、前記コンピューターに提示され、
５  前記管理カードに記憶保存された情報と前記コンピューターに記憶保存された情報とを照合し、両者の情報が一致しなかった場合または前記ＩＣ管理カードの情報が提示されないなど照合すべき情報の提供がなかった場合には、
６  前記備付警報装置の、もしくは前記追加警報装置の、もしくは前記警報装置群の全部もしくは一部が作動し、
７  一方、前記被運転物のエンジンの電源スイッチが切られた時（スイッチがＯＦＦになった時）には
前記備付警報装置もしくは前記追加警報装置もしくは前記警報装置群の作動は停止するようにした
ことを特徴とする、
運転管理システム。
【請求項２】
前記管理カードに記憶保存された情報と前記コンピューターに記憶保存された情報とを照合し、両者の情報が一致しなかった場合または前記ＩＣ管理カードの情報が提示されないなど照合すべき情報の提供がなかった場合には、前記被運転物のエンジンの始動電源スイッチの入力（スイッチＯＮ）から前記備付警報装置もしくは前記追加警報装置もしくは前記警報装置群のすべての警報装置もしくは一部の警報装置が作動するまでに所定の時間間隔を設けたことを特徴とする請求項１に記載の、運転管理システム。
【発明の詳細な説明】
【技術分野】
【０００１】
本発明は、自動車等の運転を管理するシステムに関するものである。
【背景技術】
【０００２】
従来自動車等で登録情報の一致・不一致によりエンジンの始動の可否を行うという発明は下記特許文献等多くに見られるところであるが、これはエンジンの始動の可否による盗難防止を考慮したものである。
【０００３】
しかし、エンジンは始動するが走行に耐えられない状況をつくりだすことにより、運転管理を行う発明は無かった。
【先行技術文献】
【特許文献】
【０００４】
【特許文献１】特開平１０−１９４０８７
【特許文献２】特開２００３−７２５１８
【特許文献３】特許公開２００５−１７０１６２
【発明の概要】
【発明が解決しようとする課題】
【０００５】
本発明が解決しようとする課題は、盗難防止が主たる目的で無く、無免許運転や免許証不携帯運転あるいは指定した特定の者にしか前記車両等の運転を認めない、などの運転を行うについて一定の条件のクリアーを求め法令違反運転や盗難や事故・事件などの問題を解決しようとするものである。
なお、以下において自動車を例に取り論を進めるが本発明の対象を自動車に限定するものではない。また、前記自動車を運転するものもしくは運転することを許可されたものを「運転者」ということにする。
【課題を解決するための手段】
【０００６】
本発明は、以下のような運転管理システムである。すなわち、
１  運転管理情報として、
イ  免許証記載事項のすべてもしくは一部、または、
ロ  任意の運転管理上の必要事項、  または、
ハ  上記イとロのすべてもしくは一部を組み合わせた事項、
（以後単に「照合情報」という）をあらかじめコンピューターとＩＣチップなどの記憶保持装置に記憶保存させ、
２  自動車にあらかじめ備え付けられた、前照灯やクラクションあるいはハザードランプその他の当初
備付警報装置を備付警報装置とする前記備付警報装置の全部もしくは一部は、または前記自動車に
適宜な警報装置を追加して装着した場合は、前記追加警報装置のすべてもしくは一部は、さらに前
記備付警報装置と前記追加警報装置とを組み合わせて警報装置群とする前記警報装置群のすべても
しくは一部は、前記当初備付警報装置の電源回路とは独立し前記コンピューターや前記記憶保持装
置と直結した電源回路を経由して作動するように設け、（なお、前記備付警報装置もしくは前記追加
警報装置もしくは前記警報装置群の全部もしくは一部を以後単に「直結警報装置」という）
３  自動車のエンジンの始動電源スイッチの入力（スイッチＯＮ）時に、
４  前記ＩＣチップなどの記憶保持装置で構成された管理カードの照合情報がカードリーダー等の情報読み取り装置を経由して、前記コンピューターに提示され、
５  前記管理カードに記憶保存された照合情報と前記コンピューターに記憶保存された照合情報とを照合し、両者の情報が一致しなかった場合または前記ＩＣ管理カード（の照合情報）が提示されないなど照合すべき情報の提供がなかった場合には、
６  前記直結警報装置の全部もしくは一部が作動し、
７  一方、前記自動車のエンジンの電源スイッチが切られた時（スイッチがＯＦＦになった時）には
前記直結警報装置の作動は停止する。
【０００７】
なお、本システムにおいては、前記管理カードに記憶保存された照合情報と前記コンピューターに記憶保存された照合情報とを照合し、両者の情報が一致しなかった場合または前記ＩＣ管理カード（の照合情報）が提示されないなど照合すべき情報の提供がなかった場合には、前記自動車のエンジンの始動電源スイッチの入力（スイッチＯＮ）から前記直結警報装置が作動するまでに所定の時間間隔を設けてもよい。
【発明の効果】
【０００８】
従来の特許では、指定した者以外の運転者がエンジンをかけようとしてもできなかったり、ドアーが開かなかったりと盗難を防止することが目的となっていた。
これに対し、本発明はエンジンの始動は誰でも可能ではあるが、あらかじめ運転を認められた特定の運転者以外の者がエンジンを始動するとエンジン始動と同時に直結警報装置が鳴り出すようになっているため、実質的には運転できなかったり、許可していない運転者が運転している（あるいは運転しようとしている）等の運転管理が容易にできる点にある。結果として無免許運転や免許不携帯運転あるいは盗難や事件・事故の防止にも資する。
【図面の簡単な説明】
【０００９】
【図１】図１は本発明の運転管理システムの運転管理情報のコンピューター及び情報記憶保持装置（ＩＣチップ）への入力・記憶保存の流れを示す図である。
【図２】図２は管理カードの提示から情報の照合、備付警報装置の作動までの本発明の運転管理システムの流れを示す図である。（実施例1）
【図３】図３は管理カードの提示から情報の照合、追加警報装置の作動までの本発明の運転管理システムの流れを示す図である。（実施例２）
【図４】図４は管理カードの提示から情報の照合、警報装置群の作動までの本発明の運転管理システムの流れを示す図である。（実施例３）
【発明を実施するための形態】
【００１０】
図１に示すように、運転管理情報１としての照合情報として
１  運転免許証記載事項の全部もしくは一部
２  または他の任意の運転管理上の情報（たとえば前記自動車の運転を許可するものの名前等）、
３  もしくはこれらの組み合わせ
をコンピューター３と情報記憶保持装置（ＩＣチップ）４に入力し記憶保存させる。前記情報１を記憶保存した前記ＩＣチップ４は運転免許証もしくは適宜なプラスチックカードなどに貼り付け管理カード６を形成する（運転免許証の場合は前記運転免許証が管理カード６となる）。
【００１１】
前記カードリーダー３０は運転管理をおこなう自動車の適宜な場所に設置しておく。いわゆるハンドルの上や運転者の近くのダッシュボード上などが望ましいが設置する場所を特定するものではない。
また、前記カードリーダー３０の中に前記管理カード６を挿入して前記運転管理情報１を照合１０してもよいが、挿入方式ではなく前記管理カード６を前記カードリーダー３０にかざして無線等による非接触方式で照合１０する方式を推奨するが、照合１０の方法を特定するものではない。以後においてはかざして照合１０する場合を念頭において説明する。
なお、前記管理カード６は前記自動車の運転を許可された者が保持しておくものとする。
【実施例１】
【００１２】
実施例1は図２に示すように当初備付警報装置５の全部もしくは一部を当初備付警報装置５とは独立して前記コンピューター３や前記カードリーダー３０等の電源と直結させ、備付警報装置１８（以後単に「直結警報装置」という」とするものである。
運転者はエンジンを始動させようとする場合には、図２に示すように自分の前記管理カード６をエンジン始動のスイッチを入れる前にもしくは同時に前記カードリーダー３０にかざす。
エンジン始動のスイッチが入力８されると、エンジンが始動９する。と同時に前記コンピューター３や前記カードリーダー３０も始動し、提示された前記管理カード６の情報と前記コンピューター３に記憶保存された運転管理情報１とが照合される。
【００１３】
両方の情報が一致１２した場合には前記コンピューター３から電源ＯＦＦ命令１４が直結警報装置（１８）に下されるので前記直結警報装置（１８）は作動しない１５。
【００１４】
一方両方の情報が不一致１１となった場合、または前記管理カード６が提示されなかった場合には前記コンピューター３から電源ＯＮ命令１３が前記直結警報装置（１８）へ下されるので前記直結警報装置（１８）が作動する３１。
【００１５】
なお、前記自動車のエンジン始動スイッチがＯＦＦ１６になった場合には前記直結警報装置（１８）も作動を停止１５する。
【００１６】
作用と効果であるが、照合情報が不一致の場合は例えばクラクションが鳴ったり前照灯が点灯したり、あるいはこれらの組み合わせで、外部から前記自動車を見た場合異常な状態であるため運転しづらいことに加え、警察などの第三者が異常運転として停止を命じたり試みたりすることが出来る。
効果であるが、以上のことにより照合情報の不一致の状態では運転は不可能となるため、無免許運転や免許証不携帯運転などの法令違反運転、あるいは盗難、事件、事故の防止策となる。
またいったんエンジンを切ってしまうと、照合情報なしでは上記のような異常事態が生じるため、ここでも盗難や事件、事故防止等に役立つ。
【００１７】
なお、ホテルなどで車庫入れや自動車を玄関まで運ぶサービスを提供する場合は、上記のようなシステムでは異常が生じてはサービスを提供できないので、請求項２に記載のように本システムの作動が、エンジン始動スイッチの入力から例えば５分あるいは１０分等、一定の時間は作動しないようにしておいてもよい。
【実施例２】
【００１８】
実施例２は図３に示すように、直結警報装置として当初備付警報装置５を用いず、新たに適宜な装置を追加し、前記追加警報装置を２４を直結警報装置とするケースである。
【００１９】
実施要領（システム）や作用効果などは実施例１と同様であるため省力する。
また、本システムの作動時間に時間差を設けることも上記（００１７）記載のとおりである。
【実施例３】
【００２０】
実施例３は直結警報装置として前記備付警報装置１８と前記追加警報装置２４の全部もしくは一部を直結警報装置とするものである。
【００２１】
実施要領（システム）や作用効果などは実施例１と同様であるため省力する。
また、本システムの作動時間に時間差を設けることも上記（００１７）記載のとおりである。
【産業上の利用可能性】
【００２２】
本システムの構築は容易であり、本システムは自動車の法例違反運転や事件事故防止にも有効であり
産業上の利用性は高い。
【符号の説明】
【００２３】
１    運転管理情報
２    入力
３    コンピューター
４    情報記憶保持装置（ＩＣチップ）
５    当初備付警報装置
６    管理カード
７    管理カードの提示
８    エンジン始動スイッチ入力
９    エンジン始動
１０  照合
１１  不一致
１２  一致
１３  電源ＯＮ命令
１４  電源ＯＦＦ命令
１５  備付警報装置作動せず
１６  エンジン始動スイッチＯＦＦ
１７  ３のコンピューター作動停止
１８  備付警報装置
１９  前照灯スイッチ
２０  クラクションスイッチ
２１  ハザードランプスイッチ
２２  その他の備付警報装置スイッチ
２３  個別指示回路
２４  追加警報装置
２５  追加警報装置作動
２６  追加警報装置作動せず
２７  警報装置群
２８  警報装置群作動
２９  警報装置群作動せず
３０  カードリーダー
３１  備付警報装置作動
【図１】
2015020473.tif 000003
【図２】
2015020473.tif 000004
【図３】
2015020473.tif 000005
【図４】
2015020473.tif 000006
【手続補正書】
【提出日】平成25年7月18日(2013.7.18)
【手続補正１】
【補正対象書類名】図面
【補正対象項目名】全図
【補正方法】変更
【補正の内容】
【図１】
2015020473.tif 000007
【図２】
2015020473.tif 000008
【図３】
2015020473.tif 000009
【図４】
2015020473.tif 000010